(57)【要約】【課題】円滑かつ効率よく流体を噴射し、高い洗浄効率を有する両輪型自動回転洗浄装置を提供する。【解決手段】流体が供給されるチャンバ２０を有する装置本体２の両側に噴射部１を有し、噴射部１から流体を噴射する。チャンバ２０内に回転可能に装着支持されるとともに、両端部に噴射部１がそれぞれ結合する回転体２１を備える。噴射部１から噴射される流体の反力によって噴射部１および回転体２１が回転する。回転体２１の軸のまわりに回転する流体ガイド手段（ガイドブレード２７）を有し、チャンバ２０内での流体ガイド手段の回転により、チャンバ２０内の流体を噴射部１へと導き給送する。【選択図】        図１
2005007248.tif 000002
【特許請求の範囲】
【請求項１】
流体が供給されるチャンバを有する装置本体の両側に噴射部を有し、該噴射部から流体を噴射するようにした両輪型自動回転洗浄装置であって、
前記チャンバ内に回転可能に装着支持されるとともに、両端部に前記噴射部がそれぞれ結合する回転体を備え、前記噴射部から噴射される流体の反力によって前記噴射部および前記回転体が回転するようにしたことを特徴とする両輪型自動回転洗浄装置。
【請求項２】
前記回転体はその軸のまわりに回転する流体ガイド手段を有し、前記チャンバ内での前記流体ガイド手段の回転により、前記チャンバ内の流体を前記噴射部へと導き給送することを特徴とする請求項１に記載の両輪型自動回転洗浄装置。
【請求項３】
前記流体ガイド手段は、前記回転体の軸のまわり概略スパイラル状に配置された複数のガイドブレードからなることを特徴とする請求項２に記載の両輪型自動回転洗浄装置。
【請求項４】
前記回転体の支軸に概略螺旋状の通し溝が形成され、この通し溝を介して前記チャンバ内の異物等を排出するようにしたことを特徴とする請求項１〜３のいずれか１項に記載の両輪型自動回転洗浄装置。
【請求項５】
前記噴射部は、ほぼその回転方向に沿って配向された少なくとも２つの噴射ノズルを含み、前記噴射ノズルが前記噴射部の回転接線方向に対して角度を持つように取り付けられることを特徴とする請求項１〜４のいずれか１項に記載の両輪型自動回転洗浄装置。
【発明の詳細な説明】
【０００１】
【発明の属する技術分野】
本発明は産業設備等を洗浄する際、その洗浄装置として好適な流体噴射装置、特に両輪型自動回転洗浄装置に関するものである。
【０００２】
【従来の技術】
各種産業分野において、産業設備等を効率的に洗浄すべく、従来幾つかの洗浄装置が開発されている。たとえば洗浄水を噴射する噴射ノズルを首振りおよび往復移動可能にしたものが知られている（特許文献１参照）。
【０００３】
【特許文献１】
特開２００１−８７６７６号公報
【０００４】
【発明が解決しようとする課題】
しかしながら、従来装置の多くは噴射ノズル自体は固定式であり、洗浄可能な方向および対象、さらには面積が制約されることから洗浄範囲が制限される。そして１台の装置でカバーできる範囲が限定されるため、設置箇所が多くならざるを得なかった。また、装置の設置、取付作業に手間がかかり、設置工事も煩雑になっていた。
【０００５】
本発明はかかる実情に鑑み、円滑かつ効率よく流体を噴射し、高い洗浄効率を有する両輪型自動回転洗浄装置を提供することを目的とする。
【０００６】
【課題を解決するための手段】
本発明の両輪型自動回転洗浄装置は、流体が供給されるチャンバを有する装置本体の両側に噴射部を有し、該噴射部から流体を噴射するようにした両輪型自動回転洗浄装置であって、前記チャンバ内に回転可能に装着支持されるとともに、両端部に前記噴射部がそれぞれ結合する回転体を備え、前記噴射部から噴射される流体の反力によって前記噴射部および前記回転体が回転するようにしたことを特徴とする。
【０００７】
また、本発明の両輪型自動回転洗浄装置において、前記回転体はその軸のまわりに回転する流体ガイド手段を有し、前記チャンバ内での前記流体ガイド手段の回転により、前記チャンバ内の流体を前記噴射部へと導き給送することを特徴とする。
【０００８】
また、本発明の両輪型自動回転洗浄装置において、前記流体ガイド手段は、前記回転体の軸のまわり概略スパイラル状に配置された複数のガイドブレードからなることを特徴とする。
【０００９】
また、本発明の両輪型自動回転洗浄装置において、前記回転体の支軸に概略螺旋状の通し溝が形成され、この通し溝を介して前記チャンバ内の異物等を排出するようにしたことを特徴とする。
【００１０】
また、本発明の両輪型自動回転洗浄装置において、前記噴射部は、ほぼその回転方向に沿って配向された少なくとも２つの噴射ノズルを含み、前記噴射ノズルが前記噴射部の回転接線方向に対して角度を持つように取り付けられることを特徴とする。
【００１１】
本発明によれば、流体が供給されるチャンバを有する装置本体の両側に噴射部を有し、配管からチャンバに供給された流体が噴射部から噴射されることで、その流体の反力によって噴射部および回転体が回転する。その場合、チャンバ内で回転体の流体ガイド手段が回転することにより、チャンバ内の流体を噴射部へと導き給送し、流体を円滑かつ効率よく噴射部へ供給する。
【００１２】
また、噴射ノズルから流体を噴出する噴射部自身が回転することにより、洗浄範囲が格段に拡大し、広い洗浄対象を極めて効率良く洗浄することができる。その際、仮にチャンバ内に異物等が混入しても、回転体の支軸に設けた通し溝を介してその異物等を排出することができ、装置の円滑適正な作動が保証される。
【００１３】
【発明の実施の形態】
以下、図面を参照して、本発明による両輪型自動回転洗浄装置の好適な実施の形態を説明する。
図１および図２は、本発明の両輪型自動回転洗浄装置の全体構成例を示している。この両輪型自動回転洗浄装置において、流体が供給されるチャンバを有する装置本体２の両側に、流体を噴射する複数の噴射ノズル１０を有する回転可能な噴射部１を有する。各噴射部１から流体を噴射することにより、その反力によって噴射部１が回転するようになっている。
【００１４】
なお、本実施形態ではたとえば各種産業設備等を洗浄する際、本発明の両輪型自動回転洗浄装置を使用するものとする。また、噴射部１からは典型的には水を噴射する例とするが、本発明装置の使用対象あるいは流体としてその他の設備類または流体に対して有効に適用可能である。
【００１５】
ここで、図３は本発明に係る噴射ノズル１０の構成例を示している。図３において、ノズル本体１１の中心部には吹出穴１２が貫通して形成されており、該吹出穴１２の開口部１２ａから水が噴射されるようになっている。ノズル本体１１の材質としては、たとえばステンレス鋼（たとえばＳＵＳ３０４）や黄銅もしくはその合金（たとえばＢＳあるいはＢＳＢＭ）などの金属が好適である。なお、吹出穴１２の穴径は具体的には、数ミリメートル（４．０〜５．０ｍｍ程度）に設定される。
【００１６】
吹出穴１２（開口部１２ａ）の至近位置にその尖端が対向配置された錐体１３を有する。この錐体１３は、ノズル本体１１に植設された連結シャフト１４を介して、該ノズル本体１１に支持される。錐体１３および連結シャフト１４の材質としては、ノズル本体１１と同様にステンレス鋼や黄銅もしくはその合金などの金属が好適である。
【００１７】
錐体１３は、概略円錐状に形成される。錐体１３の拡開角度θは適宜設定可能であるが、この実施形態ではたとえば６０°程度とする。錐体１３の尖端は図示例のように幾分丸みをおびているが、その尖端が吹出穴１２の開口部１２ａと適度な間隔をおいて配置される。また、錐体１３はノズル本体１１に対して、連結シャフト１４を介して同軸に支持される。なお、この例では３本の連結シャフト１４を有する。錐体１３の軽量化を図るために、一部にくり抜き凹部１３ａを設けてもよい。
【００１８】
噴射ノズル１０において、ノズル本体１１に圧送された水は、吹出穴１２を通ってその開口部１２ａから錐体１３の尖端に向けて噴射される。尖端に当たった水は、錐体１３の周面に沿って全面均等に流出し、これにより環状のスプレーを形成することができる。
【００１９】
図１および図２に示すように噴射部１は、装置本体２側と結合しその回転軸となる基管１５を有する。この例では基管１５から３つの枝管１６が分岐し、各枝管１６の先端に噴射ノズル１０が取り付けられる。３つの枝管１６のうち一対の枝管１６Ａ，１６Ｂは、噴射部１の回転半径方向に延出し、それぞれ先端の噴射ノズル１０はほぼその回転方向に沿って配向される。この場合、それらの噴射ノズル１０は、噴射部１の回転接線方向ｔに対して傾斜角度αを持つように取り付けられる。枝管１６Ｃについては、基軸１５に対して傾斜角度βを持つように分岐する。
【００２０】
装置本体２は概略円筒状に形成されたチャンバ２０を有し、その中空内部には図４に示すような回転体２１が回転可能に装着支持される。回転体２１はその両端部に噴射部１がそれぞれ結合し、後述するように噴射部１から噴射される流体（水）の反力によって噴射部１および回転体２１が回転する。
【００２１】
回転体２１は両端に支軸２２を有し、図５に示すようにチャンバ２０の両外側に設けた軸受部２３にて軸受２４を介して回転自在に支持される。支軸２２の端部においてセットプレート２５が、ボルト２６によって締着される。
【００２２】
回転体２１はその軸のまわりに回転する流体ガイド手段を有し、チャンバ２０内でこの流体ガイド手段が回転することにより、チャンバ２０内の流体を噴射部１へと導き給送する。本発明において流体ガイド手段は、回転体２１の軸のまわりに概略スパイラル状に配置された複数（この例では２枚とする）のガイドブレード２７からなる。図４に示されるようにガイドブレード２７の両端は支軸２２に固着するが、一方の支軸２２に結合する一端と他方の支軸２２に結合する他端とは適宜角度だけ捩れるかたちで固着する。なお、ガイドブレード２７の捩れ角度としては、たとえば９０°前後であってよいが、この角度は変更可能であり、また枚数についても３枚以上設けることも可能である。
【００２３】
支軸２２にはネジ部２８が付設形成され、これらの内部に流体給送路２９が貫通形成されている。各ネジ部２８には噴射部１の基管１５が螺着し、それぞれナット３０によって固定される。ここで、一方のネジ部２８Ａは左ネジとし、他方のネジ部２８Ｂは右ネジとする。
【００２４】
さらに、図５に示されるように回転体２１の支軸２２には、概略螺旋状の通し溝３１が形成される。通し溝３１は軸受２４の一端から他端までの領域範囲に対応して、支軸２２の外周面に形成される。この通し溝３１を介してチャンバ２０内の異物等を排出することができるようになっている。
【００２５】
上記構成において、流体配管１００から装置本体２のチャンバ２０内へ水が供給され、流体給送路２９および枝管１６を介して各噴射ノズル１０へと水が圧送される。枝管１６（特に枝管１６Ａ，１６Ｂ）の先端に取り付けられた噴射ノズル１０から水を噴射することにより、その水の反力によって噴射部１自身が回転する。各噴射ノズル１０から水が噴射されることで、図６に示されるように複数の環状のスプレーＳが形成され、このように噴射部１自身が回転することで洗浄範囲が格段に拡大し、広い洗浄対象を極めて効率良く洗浄することができる。したがって、各種産業設備等を極めて効率的に、しかも完全に洗浄することができる。
【００２６】
前述したように回転体２１の軸のまわりに、スパイラル状に配置されたガイドブレード２７を有する。ガイドブレード２７が回転することで図５の矢印Ｗのように、チャンバ２０内の水を巻き込むように水の流れをコントロールし、流体給送路２９そして噴射部１へと水を効率よく導き給送する。これにより装置本体２のチャンバ２０内へ供給された水を円滑に各噴射ノズル１０へと給送し、噴射部１の回転力を有効に高めることができる。
【００２７】
また、回転体２１の支軸２２に螺旋状の通し溝３１が形成されている。このように通し溝３１を有することで、仮にチャンバ２０内に異物等が混入しても、図７に示されるように通し溝３１を介してその異物Ｐ等を簡単かつ的確に排出することができる。各噴射ノズル１０の手前すなわち上流側で異物等を排除し、これにより装置の円滑適正な作動が保証される。
【００２８】
ところで、図１に示したように噴射部１の噴射ノズル１０は、回転接線方向ｔに対して傾斜角度αで取り付けられる。このように傾斜角度αを持たせることにより、回転接線方向ｔに配置した場合に比べて噴射ノズル１０からの水の飛距離を大きくし、洗浄効果を高めることができる。また、このように回転する左右の噴射部１は、ネジ部２８Ａおよびネジ部２８Ｂを介して左ネジと右ネジで回転体２１に螺着する。ネジ方向を逆にすることにより回転作動中に噴射部１が抜け落ちるのを防ぎ、装置の安全作動を保証する。
【００２９】
上記のように本発明を好適な実施形態について説明したが、本発明はそれらの実施形態にのみ限定されるものでなく、本発明の範囲内で適宜変更等が可能である。
また、噴射ノズル１０は必要に応じて適宜増設してもよく、いずれの場合も上記実施形態と同様な作用効果を得ることができる。
さらに、本発明装置は、その他の種々の設備や装置等の洗浄に有効に適用である。その場合、噴射すべき流体として、水その他の流体を使用可能である。
【００３０】
【発明の効果】
以上説明したように本発明によれば、この種の装置において噴射部自身が回転することにより洗浄範囲が格段に拡大し、広い洗浄対象を極めて効率良く洗浄することができる。また、流体ガイド手段を設けることで装置本体へ供給された水を円滑かつ効率的に各噴射ノズルへと給送し、噴射部の回転力を有効に高めることができる。さらに、異物等の混入を防止し、装置の円滑適正な作動が保証される。
【図面の簡単な説明】
【図１】本発明による両輪型自動回転洗浄装置の実施形態における全体構成例を示す正面図および側面図である。
【図２】本発明による両輪型自動回転洗浄装置の実施形態における全体構成例を示す分解斜視図である。
【図３】本発明による両輪型自動回転洗浄装置に係る噴射ノズルの構成例を示す図である。
【図４】本発明による両輪型自動回転洗浄装置に係る回転体を示す図である。
【図５】本発明による両輪型自動回転洗浄装置の作用を示す図である。
【図６】本発明による両輪型自動回転洗浄装置の作動時の様子を示す斜視図である。
【図７】本発明による両輪型自動回転洗浄装置の作用を示す図である。
【符号の説明】
１    噴射部
２    装置本体
１０    噴射ノズル
１１    ノズル本体
１２    吹出穴
１３    錐体
１５    基管
１６    枝管
２０    チャンバ
２１    回転体
２２    支軸
２３    軸受部
２４    軸受
２７    ガイドブレード
２８    ネジ部
３１    通し溝
１００    流体配管
【図１】
2005007248.tif 000003
【図２】
2005007248.tif 000004
【図３】
2005007248.tif 000005
【図４】
2005007248.tif 000006
【図５】
2005007248.tif 000007
【図６】
2005007248.tif 000008
【図７】
2005007248.tif 000009